(57)【要約】  本発明の骨内インプラントは、義歯床（３）の前部に挿入するのに適したネジ（１）を有し、このネジには、補綴支柱（６，６’）を固定し、義歯床（３）の外縁（１０）と内縁（１１）を画定する空洞が形成されている。補綴支柱（６，６’）は、歯に取り付けて形状付けるための歯冠（９，９’）を受け入れる。義歯床（３）の側面には溝（４）が形成されている。張り出し部（５）は、歯冠（９，９’）の側面と角度をもってつながり、その相補的な形状をもって溝（４）内に収まる。この状態では、歯冠（９，９’）の端部が義歯床（３）の外縁に対応している。【選択図】  図３
2007504875.tif 000002
【特許請求の範囲】
【請求項１】
骨の内部に挿入するのに適していて、前部に義歯床（３）および空洞（２）を設けたネジ（１）を有し、
前記空洞は、補綴支柱（６，６’）を固定し、義歯床（３）の外縁（１０）および内縁（１１）を画定するのに適しており、
前記補綴支柱（６，６’）は、歯に取り付け、形状付けるための歯冠（９，９’）を受け入れるのに適した骨内インプラントであって、
前記義歯床（３）の側面には溝（４）が形成され、
前記歯冠（９，９’）には張り出し部（５）が設けられ、
前記張り出し部（５）は、歯冠（９，９’）の縁部が義歯床（３）の外縁に対応するように、側面に対し角度をもって連続し、その相補的な形状によって前記溝（４）内に収まるのに適しており、
前記補綴支柱（６，６’）は、前記補綴支柱と前記歯冠（９，９’）との間に接着材料を収容するための空間が保持されるように、前記内縁（１１）まで続く突出部と前記外縁（１０）上の歯冠（９，９’）を有することを特徴とする骨内インプラント。
【請求項２】
補綴支柱（６，６’）は、セメントでネジ（１）に締結されていることを特徴とする請求項１に記載の骨内インプラント。
【請求項３】
前記補綴支柱（６，６’）の突出部には、前記歯冠（９，９’）を固定するのに適した締結手段（８，８’）がネジ留め可能なネジ切りされた空洞が設けられていることを特徴とする請求項１または２に記載の骨内インプラント。
【請求項４】
補綴支柱（６，６’）の突出部、締結手段（８，８’）および歯冠（９，９’）は、ネジ（１）の軸に対して傾斜していることを特徴とする請求項３に記載の骨内インプラント。
【請求項５】
補綴支柱（６，６’）の突出部、締結手段（８，８’）および歯冠（９，９’）によってネジ（１）の軸に対して形成される角度は、好ましくは５°から３０°の間であることを特徴とする請求項４に記載の骨内インプラント。
【請求項６】
補綴支柱（６）の突出部、締結手段（８）および歯冠（９）によって、ネジ（１）の軸に対して形成される角度は、５°であることを特徴とする請求項５に記載の骨内インプラント。
【請求項７】
補綴支柱（６’）の突出部、締結手段（８’）および歯冠（９’）によって、ネジ（１）の軸に対して形成される角度は、２２°であることを特徴とする請求項５に記載の骨内インプラント。
【請求項８】
補綴支柱（６’’）、補強ネジ（７’’）、締結手段（８’’）および歯冠（９’’）がネジ（１）と同軸であることを特徴とする請求項１〜３のいずれか一項に記載の骨内インプラント。
【請求項９】
接着材料は、歯冠（９，９’，９’’）の取り付け前に義歯床（３）に塗布されることを特徴とする請求項１〜９のいずれか一項に記載の骨内インプラント。
【発明の詳細な説明】
【技術分野】
【０００１】
本発明は、骨内インプラントおよび関連する補綴構成要素に関する。
【背景技術】
【０００２】
多くの人々が、失った歯の機能を回復させるためにインプラント歯科学を頼っていることは周知である。骨内埋込インプラント歯科学は、咀嚼機能を向上させるために、義歯を骨にしっかりと固定することを目的としている。
【０００３】
骨内インプラントは、実質的には骨に挿入するネジで形成され、そこでは、支柱がネジ込まれる。支柱には歯冠（当該分野においてゴールデン・シリンダーとしても知られる）が取り付けられており、歯の支持体の役割を果たす。周知のインプラントは、歯冠が支柱にネジ込まれるか、支柱にセメントで接着されるかによって２つのグループに分けることができる。
【０００４】
いずれのタイプのインプラントも、骨内埋込の観点から機能的ではあるが、審美的ではないという問題がある。実際のところ、歯を抜き取るときに、歯の構成物を正常に取り囲んでいる歯茎型の骨が取り返しがつかないほどに失われるので、インプラントを固着する骨は実質的にはまっすぐな輪郭であろうと推測され、インプラントは一本の軸上に配設される。このようにして自然歯の典型的な歯茎輪郭は失われ、補綴後の形状は審美的に好ましくない外観を有することになると思われる。
【０００５】
この問題は、不適切に配設されたインプラントを補正するのに用いられる傾斜した支柱によるインプラントの場合に、より深刻なものとなる。この場合、実際に、インプラントの軸と歯の間に角度ができ、歯の縁部が歯肉の縁部から離れるので、支柱の一部が見えてしまい審美的な問題を増加させる。
【発明の開示】
【発明が解決しようとする課題】
【０００６】
これらの問題を解決するために、これまでに、いくつかの解決策が提案されてきた。これらの解決策においては、歯の始点となる義歯床を歯茎の端の真下に配設している。しかしながら、これらの解決策は、歯の歯茎輪郭の喪失に起因する審美的な問題を克服し得るものではない。
【０００７】
米国特許第６，１７４，１６７号および第６，２８３，７５４号は、新しい骨内インプラントを提案しており、これらは、従来技術に対して歯冠の配設はそのままであるが、自然歯のガムセメント接合部を歯茎部輪郭に似せている。しかしながら、このような効果を達成するために、２本の歯の間に形成される隣接歯間領域に残された骨の厚みをかなり減じ、この骨への血管新生があまり起こらないようにし、それの再吸収を助けるようにする。そのため、インプラントの処置直後、義歯は審美的に無難な程度の出来であっても、時間の経過とともに見栄えが悪くなったり上述したようなすべての審美的欠点を有するようになるかもしれない。
【０００８】
さらに、ネジ式歯冠タイプの既知のインプラントは、歯冠の端が歯肉の端の下に配されるような場合には特に、組織の炎症を引き起こすかなりの危険性を伴って歯冠と支柱の間にバクテリアを定着し易くするという欠点がある。その一方で、セメント接着型歯冠タイプの既知のインプラントは、例えばメンテナンスのために取り外したりするときに、問題がある。
【課題を解決するための手段】
【０００９】
よって、本発明の目的は、上述の欠点をなくした骨内インプラントとそれに関連する補綴要素を提供することにある。
【００１０】
上述の目的は、主な特徴が第一請求項に特定された骨内インプラントとそれに関連する補綴具を用いて達成される。その他のクレームにはさらなる特徴が特定されている。
【発明の効果】
【００１１】
本発明による骨内インプラントは、骨内埋込手術の問題がない上に、口腔内でも外側にあるため目視で気づかないような前庭骨の歯茎を維持するので、審美的に満足行くものである。さらに、この特徴は、本発明によるインプラントは後々の健康のためにも出来る限りの骨を維持するので、これまでに提案されたインプラントに対してさらにゆるぎない。
【００１２】
本発明による骨内インプラントの他の利点は、バクテリアの定着を防止するためと同時にメンテナンスのために容易に取り外せるようにするために義歯床の縁部にのみ薄いセメント層の塗布を行うことである。
【００１３】
本発明による骨内インプラントの更なる利点及び特徴は、添付の図面を参照した詳細かつ非限定的ないくつかの実施形態の記載から当業者に明らかとなるであろう。
【発明を実施するための最良の形態】
【００１４】
図１を参照すると、本発明によるインプラントは、既知の方法で骨内に挿入され、補綴器具の支柱として作用するネジ１を備えることがわかる。このネジ１は、補綴支柱６，６’の軸部７，７’を受け入れるのに適した内部空洞２を有する。この空洞２は、底部にネジが切られているのが好ましく、さらに外側の部分には六角形の区画があるのが好ましい。空洞の２つの機能は、図２に見られるようにインプラントの位置決め用レンチの挿入を可能にし、また図４に見られるように補綴支柱６，６’の軸部７，７’を受け入れることである。ネジ１は、先端部即ち外向きに突出する端部に、空洞２を画定する内縁１１と外縁１０とを備える切頭円錐形の義歯床３が設けられている。義歯床３の外面には、適当な形状と寸法の溝４が切られている。
【００１５】
さらに、図２，３，４および５を参照すると、本発明によれば、補綴支柱６，６’はネジ１の空洞２に挿入されるのに適した軸部７，７’と歯冠の固着手段に適した頂部突出部とを備えることがわかる。好ましい実施形態における補綴支柱６，６’は、いったん空洞２に挿入されると、セメントでネジ１に固定される。
【００１６】
補綴支柱６，６’の突出部は、義歯床３に主な基礎が据えられ、同義歯床３の内縁１１まで達する略切頭円錐形である。補綴支柱６，６’の前記突出部には歯冠９，９’をインプラントの残りの部分に固定するのに適した追加の締結手段８、８’がネジ留めされるネジ切りされた空洞が設けられる。歯冠９，９’は略切頭円錐形であり、歯冠の側面に連続し該側面に対して角度を有する張出し部５が設けられている。この角度は、相補的な形状によって、歯冠９，９’の縁部が義歯床３の外縁と合致するように義歯床３の溝４にはまるのに適する角度である。補綴支柱６，６’は、いったん取り付けられると、好ましくは５°から３０°の間の幅でネジ１と角度を形成する。
【００１７】
第一の実施形態において、図２および３に図示されるように、補綴支柱６の突出部はネジ１に対して５°の角度で傾斜した軸を有する切頭円錐である。締結手段８は、この軸と同じ傾斜を有するが、一方で補綴支柱６の軸部７はネジ１と同軸である。明らかに、歯冠９は、残りの補綴要素６，８と適合する形状を有し、そのため同様に５°の角度で傾斜している。
【００１８】
第二の実施形態において、図４および５に図示されるように、補綴支柱６’の突出部の傾斜、締結手段８の傾斜および歯冠９’の傾斜はネジ１に対して約２２°の角度を形成し、補強ネジ７はネジと同軸である。
【００１９】
図６は、ネジ１と同軸の補綴要素６’’，８’’，９’’を備えるインプラントを図示している。ここでは、補綴支柱６’’の軸部７’’は、この軸部を受けいれるのに適した空洞２の内側同様にネジが切られている。その結果、補綴支柱６’’は簡単にネジ込まれてネジ１に固定される。図６に示されるように、補綴支柱６’’は、例えばネジとこのネジに接続可能な突出部のように２つの接続可能なパーツからなっていてもよい。審美的な観点から、このインプラントは従来のタイプと似ているが、メンテナンスとバクテリアの定着に関しては上述したような利点を有する。
【００２０】
本発明によるインプラントの適用は、下記に記載の方法で行われる。
【００２１】
ネジ１は、義歯床３の溝４が前に向くように骨に固定される。このようにして、前からの外観については、典型的な自然歯の歯茎骨構造が構成され、本発明によるインプラントの独特な形状および構造のおかげで、インプラントの近心、口蓋近く、末端の面に大方の骨が維持される。
【００２２】
ネジ１がいったん配置されると、補綴支柱６，６’の軸部７，７’’を空洞２内に挿入しなければならない。補綴支柱６，６’は少量のセメントでネジ１に固定される。
【００２３】
歯が歯冠９，９’上に形状付けられた後、義歯床３の端部だけに薄いセメントまたはその他の接着材料の層を塗布し、これによって歯冠９，９’は張り出し部５が溝４内に収まり歯冠９，９’の端部が義歯床３の外縁１０と対応するように位置決めされる。歯冠９，９’はその後、締結手段８，８’によって残りの補綴要素に固定される。余分なセメントは一部外側にはみ出すので取り除かれ、一部は歯冠９，９’内に残る。しかしながら、義歯床３の内縁１１上にある補綴支柱６，６’と義歯床３の外縁１０上にある歯冠９，９’との間の空間のおかげで、この余分なセメントは補綴支柱６，６’の上に広がることなく、この空間内にとどめられる。よって、セメントの保持力は最小限にとどめられるので、バクテリアの定着を回避するのに十分であるが、メンテナンス中に問題を引き起こすほど強くない。実際のところ、締結手段８，８’が取り外された後、歯冠９，９’を取り除くにはほんの小さな力で十分である。
【００２４】
義歯床３の外縁１０上にある歯冠９，９’の始点が歯の端部の始点であるため、骨や歯肉の歯茎輪郭はある程度の期間保存され、歯の突起した外延は審美的に満足のゆくものとなる。
【００２５】
ここに記載され図示された実施形態は、本発明を限定する例ではないことは明らかである。例えば、好ましい実施形態において、インプラントの傾斜は約５°から２２°となっているが、異なる傾斜であってもインプラントは同様に実施できる。
【００２６】
溝４の寸法および形状は、インプラントを確実に成功させた上に骨量を最大限に維持するために、必要に応じて変更可能である。
【００２７】
さらに、当業者は、本発明の範囲から逸脱することなく、ここに記載され図示された実施形態への変更や追加を行うことができる。
【００２８】
本発明によるインプラントの構成のためには、従来のタイプのインプラントを構成するのに適していると思われる既知の材料を使用することもできる。
【図面の簡単な説明】
【００２９】
【図１】本発明の第一および第二の実施形態による骨内インプラント用ネジの透視斜視図である。
【図２】本発明の第一の実施形態によるインプラントのいくつかの構成要素の透視斜視図である。
【図３】本発明の第一の実施形態によるインプラントの透視斜視図である。
【図４】本発明の第二の実施形態によるインプラントのいくつかの構成要素の透視斜視図である。
【図５】本発明の第二の実施形態によるインプラントの透視斜視図である。
【図６】本発明の他の実施形態による骨内インプラントの透視前面図である。
【図１】
2007504875.tif 000003
【図２】
2007504875.tif 000004
【図３】
2007504875.tif 000005
【図４】
2007504875.tif 000006
【図５】
2007504875.tif 000007
【図６】
2007504875.tif 000008
【手続補正書】
【提出日】平成18年5月9日(2006.5.9)
【手続補正１】
【補正対象書類名】明細書
【補正対象項目名】００１６
【補正方法】変更
【補正の内容】
【００１６】
さらに、図２，３，４および５を参照すると、本発明によれば、補綴支柱６，６’はネジ１の空洞２に挿入されるのに適した軸部７，７’と歯冠の固着手段に適した頂部突出部とを備えることがわかる。好ましい実施形態における補綴支柱６，６’は、いったん空洞２に挿入されると、セメントでネジ１に固定され、或いは、結合を改善し確実とするよう空洞付き六角要素によりネジ留め又は螺着によってネジ１に固定される。
【国際調査報告】
2007504875.tif 000009
2007504875.tif 000010